(57)【要約】【課題】遊技機の構成部品が運送中に他の部材と直接衝突して破損するのを防ぐ。【解決手段】サブ制御基板ケース２７の背面に、第３の基板側コネクタ３７を突設した遊技盤用外部端子基板３５が配設されると共に、ボリューム用つまみ３４が突出する。サブ制御基板ケース２７の背面に配設される緩衝部材３９に、遊技盤用外部端子基板３５に対応する第１の切欠部４１が形成され、該切欠部４１の第１の壁部４１ａで遊技盤用外部端子基板３５と第３の基板側コネクタ３７の周囲が囲まれる。緩衝部材３９のボリューム用つまみ３４に対応する位置に第２の切欠部４２が形成され、該切欠部４２の第２の壁部４２ａでボリューム用つまみ３４の周囲が囲まれる。緩衝部材３９の厚み寸法は、その後面が第３の基板側コネクタ３７およびボリューム用つまみ３４の突出端部より更に後方に臨むよう設定される。【選択図】図１
2005334068.tif 000002
【特許請求の範囲】
【請求項１】
少なくとも運送中の遊技機における構成部品を保護する保護手段を備える遊技機であって、
前記保護手段は、遊技機の外部輪郭をなす構成部品を保護し得る固形状の緩衝部材を有し、
前記緩衝部材は、前記遊技機に取付けた際に前記構成部品の全周辺部または一部分を除く周辺部を囲む壁部を有し、該壁部における構成部品の突出端部側の外端が、該構成部品の突出端部より外方に臨むよう設定されている
ことを特徴とする保護手段を備える遊技機。
【請求項２】
前記構成部品は、遊技機の裏側に配設された基板に突設され、運送時には他の基板等と接続されていないコネクタである請求項１記載の保護手段を備える遊技機。
【請求項３】
前記構成部品は、遊技機の裏側に配設された基板に突設され、運送時には遊技機に配設されている他の基板等と配線を介して接続されるコネクタである請求項１記載の保護手段を備える遊技機。
【発明の詳細な説明】
【技術分野】
【０００１】
この発明は、遊技機を構成する各種構成部品を、少なくとも運送中に保護する保護手段を備える遊技機に関するものである。
【背景技術】
【０００２】
遊技機の製造工場において完成した遊技機は、一台毎に梱包された後、多数の遊技機がトラック等に積載されて全国各地の遊技店に運送されている。遊技機の梱包手段としては、特許文献１に開示されているように、遊技機の全体をフィルム材にて密封してホコリやキズから保護するものが提案されている。なお、この梱包手段では、密封されたフィルム材を開封すると痕跡が残ることから、運送中の遊技機に対する不正な改造を抑止する効果がある。
【特許文献１】特開２００２−１７７４９２号公報
【発明の開示】
【発明が解決しようとする課題】
【０００３】
しかし、前記特許文献１の構成では、遊技機の周囲を薄いフィルム材で覆っているだけであるため、遊技機をホコリ等からは保護できるが、運送途中のトラック内で振動によって遊技機同士が衝突した際に該遊技機に加わる衝撃を緩和することは期待できず、遊技機を構成する一部の構成部品を破損させてしまうことがあった。特に遊技機の裏側には、遊技機を作動させるための各種制御基板が配設されると共に、これら基板には基板同士を接続するための複数のコネクタが突設されている。しかも、これらのコネクタは、相互に配線を接続する必要性から、遊技機の外面に位置して外部輪郭を構成して容易な接続が可能に構成されている。従って、前述したようなフィルム材で周囲を覆っているだけでは、遊技機同士の衝突時の衝撃によって、外部輪郭をなしているコネクタ等の構成部品が破損してしまい、遊技店に到着したときには、破損した部品の交換用部品を新たに手配しなければならないと云う問題があった。
【０００４】
すなわち本発明は、前述した従来の技術に内在している前記課題に鑑み、これを好適に解決するべく提案されたものであって、遊技機の構成部品が少なくとも運送中に他の部材と直接衝突するのを防止して、該構成部品が破損するのを防止することができる保護手段を備える遊技機を提供することを目的とする。
【課題を解決するための手段】
【０００５】
前記課題を克服し、所期の目的を好適に達成するため、請求項１の発明に係る保護手段を備える遊技機は、
少なくとも運送中の遊技機(10)における構成部品(34,37,46)を保護する保護手段(38)を備える遊技機であって、
前記保護手段(38)は、遊技機(10)の外部輪郭をなす構成部品(34,37,46)を保護し得る固形状の緩衝部材(39,44)を有し、
前記緩衝部材(39,44)は、前記遊技機(10)に取付けた際に前記構成部品(34,37,46)の全周辺部または一部分を除く周辺部を囲む壁部(41a,42a,44a)を有し、該壁部(41a,42a,44a)における構成部品(34,37,46)の突出端部側の外端が、該構成部品(34,37,46)の突出端部より外方に臨むよう設定されていることを特徴とする。
【０００６】
請求項２の発明に係る保護手段を備える遊技機は、前記構成部品(37)が、遊技機(10)の裏側に配設された基板(26)に突設され、運送時には他の基板等と接続されていないコネクタ(37)であることを特徴とする。
【０００７】
請求項３の発明に係る保護手段を備える遊技機は、前記構成部品(46)が、遊技機(10)の裏側に配設された基板(45)に突設され、運送時には遊技機(10)に配設されている他の基板等と配線(18)を介して接続されるコネクタ(46)であることを特徴とする。
【発明の効果】
【０００８】
請求項１に係る発明の保護手段を備える遊技機によれば、遊技機における構成部品の周辺部を緩衝部材で囲んで保護するよう構成したから、少なくとも運送中において構成部品が他の部材と直接衝突するのを防ぐことができ、構成部品の破損を確実に防止し得る。また、破損のおそれのある構成部品を緩衝部材によりピンポイントで保護することができるから、該緩衝部材の使用量を最小限に抑えることができ、使用後の廃棄量を少なくし得る。
【０００９】
請求項２に係る発明の保護手段を備える遊技機によれば、運送中に他の基板に接続されていないコネクタを緩衝部材で保護するよう構成したから、該コネクタが他の部材との衝突によって損傷するのを防止し得る。
【００１０】
請求項３に係る発明の保護手段を備える遊技機によれば、運送中に他の基板に接続されているコネクタを緩衝部材で保護するよう構成したから、該コネクタが他の部材との衝突によって損傷したり接触不良を生ずるのを防止し得る。また、衝突によってコネクタに接続する配線が少し抜けた状態(所謂半挿し状態)となってしまうことが防止できるから、遊技店に設置した後に、コネクタが確実に接続されているか否かを目視により確認する必要はなく、また正確な制御信号の送信や受信ができるか否かの確認作業を行なう必要もない。
【発明を実施するための最良の形態】
【００１１】
次に、本発明に係る保護手段を備える遊技機につき、好適な実施例を挙げて、添付図面を参照しながら、以下詳細に説明する。なお実施例では、遊技機として、パチンコ球を遊技媒体として使用する一般的なパチンコ機を例にして説明する。また、以下の説明において前・後および左・右とは、特に断りのない限りパチンコ機を前側から見た場合において指称するものとする。
【実施例】
【００１２】
先ず本実施例のパチンコ機の概略構成について、図１または図２を参照して説明する。本実施例のパチンコ機１０は、その基本的な概略構成として、外郭をなす外枠１１の開口前面側に対し、各種構成部品の搭載枠として機能する中枠１２が連結支持手段および施錠手段を利用して着脱および開閉可能に組み付けられている。また中枠１２には、所要の遊技領域を構成した遊技盤(図示せず)が着脱交換可能に取付けられると共に、該中枠１２の前面側に、遊技盤を透視保護するガラス板を組み付けた前枠１３と、パチンコ球を貯留する上球皿１４が配設される。更に、前記中枠１２における上球皿１４の下方には、左右方向の略中央位置に、上球皿１４から溢れたパチンコ球を貯留し得る下球皿１５を配設してある。そして、前記中枠１２における下球皿１５の右側には、遊技者の操作に応じて図示しない打球発射装置を駆動して、前記上球皿１４に貯留したパチンコ球を前記遊技領域に向けて発射させるハンドルユニット１６が配設されている。なお、前記外枠１１の下部には、左右方向に離間して一対のスピーカ１７,１７が配置されており、該スピーカ１７,１７は、配線１８(図３参照)を介して後述するサブ制御基板２６に接続してある。
【００１３】
前記中枠１２における上方位置において前後に開口するよう開設された遊技盤保持部(図示せず)に保持される遊技盤には、その裏側から図柄表示装置が配設されると共に、図柄表示装置での遊技演出に応じて照射パターンを変更して発光演出を行なう電飾装置(何れも図示せず)等が配設されている。
【００１４】
前記中枠１２の裏側には、該中枠１２の外郭形状に略整合する矩形状に成形された機構セット盤１９が配設されており、該機構セット盤１９に、外部から供給されたパチンコ球が流下する球貯留排出経路２０や、該球貯留排出経路２０の下方に連通接続する球払出装置２１等が配設されている(図１参照)。なお、前記機構セット盤１９の上方位置には、前後に開口する窓口１９ａが開設されており、遊技盤の裏側における上方を保護する第１保護カバー２２および遊技盤の裏側における下方位置を保護する第２保護カバー２３の夫々が、該窓口１９ａを介して後方に臨んでいる。また、前記機構セット盤１９の下方には、主制御基板ケースにパチンコ機１０を全体的に制御する主制御基板を収納した主制御装置２４や、払出制御基板ケースに前記球払出装置２１を制御する払出制御基板を収納した払出制御装置２５等が設置されている。
【００１５】
なお、前記図柄表示装置の後方には、前記主制御装置２４に図示しない配線を介して接続されて、該主制御装置２４の制御に基づいて図柄表示装置での表示内容を制御する表示制御装置(図示せず)が配設されており、前記遊技盤の裏側に着脱および開閉自在に配設した前記第１保護カバー２２により、図柄表示装置および表示制御装置を覆蓋保護している。また、前記第１保護カバー２２の下方に位置する前記第２保護カバー２３の後方には、前記主制御装置２４に配線１８を介して接続されて、該主制御装置２４の制御に基づいて前記電飾装置の発光、および前記スピーカ１７,１７からの音の出力を制御するサブ制御基板(基板)２６をサブ制御基板ケース２７に収納したサブ制御装置(発光音声制御装置)２８を配設してある。
【００１６】
前記サブ制御基板ケース２７の背面(第２保護カバー２３から離間する面)上部には、前側に向けて所定深さで凹む第１の段部２９が設けられ、該段部２９に、左右方向に離間して複数の第１の開口２９ａが開設されており、各開口２９ａから、前記サブ制御基板２６に突設された第１の基板側コネクタ(コネクタ)３０が外部に露出するよう臨んでいる。そして、前記主制御基板、表示制御基板、電飾装置に接続する各配線１８が、対応する第１の基板側コネクタ３０に対して配線側コネクタ３１を介して夫々接続される。またサブ制御基板ケース２７の背面左側部(図３では右側部)には、前側に向けて所定深さで凹む第２の段部３２が設けられ、該段部３２に第２の開口３２ａが開設されており、該第２の開口３２ａから、前記サブ制御基板２６に突設された第２の基板側コネクタ(コネクタ)３３が外部に露出するよう臨み、該第２の基板側コネクタ３３に、前記スピーカ１７,１７に接続する配線１８が配線側コネクタ３１を介して接続されている。すなわち、第１および第２の基板側コネクタ３０,３３は、運送時にはパチンコ機１０に配設されている他の基板等と配線１８,１８を介して接続されるコネクタである。
【００１７】
前記サブ制御基板ケース２７の背面壁には、図３において右側に偏った位置に、前後方向に貫通する通孔２７ａが穿設され、前記サブ制御基板２６に配設されて前記スピーカ１７,１７から出力される音量を調節するボリューム用つまみ３４が、該通孔２７ａから外方(後方)に所定長さだけ突出している。またサブ制御基板ケース２７の背面には、図３において左側に偏った位置に、遊技盤用外部端子基板３５が配設されている。この遊技盤用外部端子基板３５は、サブ制御基板ケース２７に配設されて後方に開放するトレー状の皿部材３６に収納配置され、その後方に露出する後面に、前記遊技盤に配設される図柄表示装置で行なわれる図柄組合わせゲームが行なわれる毎に送信される信号や、大当たり状態中であるという信号、あるいは確率変動状態中であるという信号等の各種信号毎に対応する複数の第３の基板側コネクタ(コネクタ)３７が突設されている。この第３の基板側コネクタ３７は、遊技店のホールコンピュータと接続されるものであって、パチンコ機１０の運送中には他の基板等と接続されないコネクタである。
【００１８】
ここで、前記サブ制御基板２６に突設される第１および第２の基板側コネクタ３０,３３、ボリューム用つまみ３４、遊技盤用外部端子基板３５、および該外部端子基板３５に突設される第３の基板側コネクタ３７は、何れもパチンコ機１０の最外側に位置して外部輪郭をなす構成部品であって、パチンコ機１０の運送中には外部に露出する部材である。そして、実施例では、これらの構成部品を運送中に保護するための保護手段３８を構成する緩衝部材３９が、前記サブ制御基板ケース２７の背面に着脱自在に取付けられている。なお、実施例の緩衝部材３９は、第１の基板側コネクタ３０、ボリューム用つまみ３４、遊技盤用外部端子基板３５、および第３の基板側コネクタ３７を保護するように構成されている。
【００１９】
前記緩衝部材３９は、例えば発砲スチロール等を材質として略矩形状に形成した固形状の部材であって、前記サブ制御基板ケース２７の背面に突設されて左右方向に離間する一対のフック(取付手段)４０,４０に、左右の端部を係合することでその前面が該基板ケース２７の背面に当接した状態で取付けられるよう構成される。図３に示す如く、この緩衝部材３９における前記遊技盤用外部端子基板３５の配設位置に対応する位置には、前記皿部材３６と干渉しないようにするための第１の切欠部４１が形成されており、該切欠部４１を構成する第１の壁部４１ａにより、遊技盤用外部端子基板３５および第３の基板側コネクタ３７の周辺部を囲むようにしてある。また緩衝部材３９における前記ボリューム用つまみ３４の配設位置に対応する位置には、該つまみ３４と干渉しないようにするための第２の切欠部４２が形成されており、該切欠部４２を構成する第２の壁部４２ａにより、該ボリューム用つまみ３４の周辺部を囲むようにしてある。なお、実施例では、第１および第２の切欠部４１,４２は何れも下側に開放し、遊技盤用外部端子基板３５、第３の基板側コネクタ３７およびボリューム用つまみ３４の左右および上側を略囲むよう構成されている。すなわち、遊技盤用外部端子基板３５、第３の基板側コネクタ３７およびボリューム用つまみ３４は、下側(一部分)を除く周辺部が壁部４１ａ,４２ａにより囲われている。
【００２０】
前記緩衝部材３９の厚み寸法は、図４に示す如く、その前面をサブ制御基板ケース２７の背面に当接した状態で、その後面(壁部４１ａ,４２ａの外端)が第３の基板側コネクタ３７およびボリューム用つまみ３４の突出端部(サブ制御基板ケース２７の背面から最も後方に突出する部分)より更に後方(外方)に臨むよう設定される。すなわち、パチンコ機１０の運送中にパチンコ機同士が衝突した場合であっても、第３の基板側コネクタ３７やボリューム用つまみ３４に、他のパチンコ機１０の構成部品等が直接当たるのを緩衝部材３９で防止し得るようになっている。なお、第３の基板側コネクタ３７およびボリューム用つまみ３４の突出端部からの緩衝部材３９の突出量としては、数ミリから１センチ程度とするのが好適である。
【００２１】
前記緩衝部材３９の上端は、図３に示す如く、前記サブ制御基板ケース２７における第１の段部２９の後方、すなわち前記第１の開口２９ａを介して露出している第１の基板側コネクタ３０の後方を覆う位置まで延出しており、該緩衝部材３９の上部壁部(別の壁部)３９ａにより、該第１の基板側コネクタ３０に他のパチンコ機１０の構成部品が衝突するのを防止するよう構成してある。なお、緩衝部材３９における左右の幅寸法は、前記第１の段部２９に露出する全ての第１の基板側コネクタ３０の後方を覆い得る寸法に設定されている。
【００２２】
前記緩衝部材３９が取付けられたパチンコ機１０は、図２に示す如く、その全体が合成樹脂製のシート部材４３で密封されて、運送中におけるホコリからパチンコ機１０を保護すると共に、キズ等が付くのを防止し得るよう構成される。そして、パチンコ機１０の全体を覆うシート部材４３が、前記緩衝部材３９と共にパチンコ機１０を保護する保護手段３８を構成している。
【００２３】
〔実施例の作用〕
次に、前述した実施例に係る保護手段を備える遊技機の作用につき説明する。
【００２４】
製造工場において完成したパチンコ機１０については、前記緩衝部材３９を、前記サブ制御基板ケース２７の背面に、フック４０,４０を介して取付ける。これにより、前記遊技盤用外部端子基板３５、該外部端子基板３５に突設した第３の基板側コネクタ３７およびボリューム用つまみ３４は、その周辺部が緩衝部材３９における第１および第２の壁部４１ａ,４２ａにより囲われて保護される。また前記サブ制御基板２６に配設された第１の基板側コネクタ３０も、緩衝部材３９における上部壁部３９ａにより後方が覆われて保護される。なお、各第１の基板側コネクタ３０には、対応する基板等に接続してある配線１８が、配線側コネクタ３１を介して接続されており、これら配線側コネクタ３１も上部壁部３９ａで覆われている。そして、緩衝部材３９が取付けられたパチンコ機１０は、その全体が合成樹脂製のシート部材４３で密封される(図２参照)。
【００２５】
前述したように、前記緩衝部材３９およびシート部材４３からなる保護手段３８により一台毎に保護されたパチンコ機１０は、トラック等の荷台に、その前面側と裏面側とが対向する並列状態で積載されて、全国各地の遊技店に運送される。この運送途中においては、振動等により隣接するパチンコ機同士が衝突することがある。この場合に、パチンコ機１０の外部輪郭をなして破損し易い、前記第３の基板側コネクタ３７およびボリューム用つまみ３４は、緩衝部材３９により保護されているから、これら部品が破損するのは防止される。また第３の基板側コネクタ３７が突設される遊技盤用外部端子基板３５も、緩衝部材３９で囲われているから、該外部端子基板３５が衝突の衝撃で破損するのも防止される。すなわち、パチンコ機１０の略最後部に位置する遊技盤用外部端子基板３５、第３の基板側コネクタ３７およびボリューム用つまみ３４の後方への突出端部より、更に後方まで緩衝部材３９が突出しているから、これら部品３５,３７,３４がパチンコ機同士の衝突の衝撃で破損するのを確実に防止し得る。
【００２６】
更に、前記サブ制御基板２６に突設されてサブ制御基板ケース２７における第１の段部２９で露出している各第１の基板側コネクタ３０の後方は、前記緩衝部材３９の上部壁部３９ａで覆われているから、該第１の基板側コネクタ３０に他のパチンコ機１０の構成部品が衝突して破損するのを防止し得る。また第１の基板側コネクタ３０には、他の基板等に接続する配線１８の配線側コネクタ３１が接続されているが、該配線側コネクタ３１も緩衝部材３９で覆われているから、パチンコ機同士の衝突による衝撃によってコネクタ同士の接続状態が弛んで接触不良を来たすのは防止される。従って、遊技店にパチンコ機１０を設置した後に、コネクタの確実な接続状態を目視により確認したり、正確な制御信号の送信や受信ができるか否かを確認する等の作業を省略することができる。
【００２７】
またパチンコ機１０の全体はシート部材４３で密封されているから、運送中にはホコリやキズからも保護することができる。なお、シート部材４３を密封しているから、該シート部材４３を開封すると痕跡が残り、よって運送中のパチンコ機１０に対する不正な改造を抑止することができる。更に、保護手段３８で保護されたパチンコ機１０は、トラックによる運送中ばかりでなく、トラックへの積み込みや積み降ろし、あるいは倉庫に保管する場合であっても、前記各構成部品３５,３７,３４を保護することができる。
【００２８】
そして、遊技店に運び込まれた各パチンコ機１０は、シート部材４３を開封すると共に、前記緩衝部材３９を取外すだけで、設置可能となる。この場合に、緩衝部材３９は、保護を必要とする構成部品に対してピンポイントで取付けられているから、該緩衝部材３９の使用量が多くなることで廃棄量が増えるのは抑制される。
【００２９】
〔別の実施例〕
図５は、別実施例に係る緩衝部材を示すものであって、該緩衝部材４４は、保護対象となる例えばパチンコ機１０の裏側に配設した基板４５に突設された基板側コネクタ(コネクタ)４６の周囲全体を囲む４つの壁部４４ａと、該コネクタ４６の突出端部の外方を覆う覆い部４４ｂとから、全体として基板側(基板４５における基板側コネクタ４６の取付面側)に開放する箱状に形成されている。この緩衝部材４４における基板側コネクタ４６の周囲を囲む所定位置の壁部４４ａには、基板側および内外方向に開放する切欠部４４ｃが形成され、該切欠部４４ｃを介して基板側コネクタ４６に配線側コネクタ３１を介して接続されている配線１８が外部に引き出し得るよう構成される。なお、別実施例の緩衝部材４４は、基板４５に対して図示しない貼着テープ等の取付手段で取付けられる。
【００３０】
すなわち、別実施例の緩衝部材４４では、基板側コネクタ４６の全周囲および突出端部の全体を覆うよう構成したから、該コネクタ４６を確実に衝撃から保護し得る。また図示のように、パチンコ機１０の運送中に他の基板等と配線１８を介して接続されている場合は、該配線１８を切欠部４４ｃで規制し得るから、配線１８がねじれるのを防止することもできる。なお、別実施例の構成に係る緩衝部材４４で、パチンコ機１０の運送中に他の基板等と接続されていないコネクタを保護することも可能であるが、その場合は切欠部４４ｃを省略し得る。
【００３１】
〔変更例〕
本発明に係る保護手段を備える遊技機としては、前述した実施例のものに限られるものではなく、種々の変更が可能である。
(a) 実施例では、緩衝部材で複数の構成部品を纏めて保護するよう構成したが、各構成部品を個別に緩衝部材で夫々保護するようにしてもよい。なお、複数の構成部品を纏めて保護する場合は、緩衝部材の厚みは、最も高い構成部品を保護し得る寸法に設定されていればよい。
(b) 実施例では、緩衝部材に形成した一方が開放する切欠部を構成する壁部で構成部品の周辺部を囲うよう構成したが、構成部品の挿通が可能な開口部を緩衝部材に形成し、該開口部を構成する壁部で構成部品の全周辺部を囲うようにしてもよい。
(c) 実施例では、パチンコ機の構成部品として、基板やコネクタ等を挙げたが、パチンコ機の外部輪郭をなすものであれば、例えはハンドルユニット等、その他のものも対象となる。
(d) 緩衝部材の取付手段としては、実施例のフックに限定されるものでなく、対象となる構成部品自体に緩衝部材を嵌合させるようにしたり、あるいは貼着テープで貼付けるようにしてもよい。
(e) 実施例ではパチンコ機の全体をシート部材で密封したが、パチンコ機を段ボール箱に収納するものであってもよく、この場合は段ボール箱が保護手段を構成する。
(f) 緩衝部材の材質としては、実施例の発泡スチロールに限定されず、段ボールや木、あるいは合成樹脂等、その他のものであってもよい。
(g) 実施例では、遊技機としてパチンコ機を採用したが、アレンジボール機等であってもよい。
【００３２】
〔付記〕
なお、本発明の保護手段を備える遊技機に関しては、以下の構成を限定することが可能である。
(付記１) 請求項１〜３の何れかに記載の保護手段を備える遊技機において、前記緩衝部材(44)は、前記構成部品(46)の突出端部を覆う覆い部(44b)を備えている。
そして付記１に係る発明の保護手段を備える遊技機によれば、緩衝部材の覆い部により構成部品の突出端部を覆うよう構成したから、該構成部品の全体を確実に保護することができる。
【００３３】
(付記２) 請求項１〜３または付記１の何れかに記載の保護手段を備える遊技機において、前記保護手段(38)は、遊技機(10)の全体を覆う合成樹脂製のシート部材(43)を備える。
そして付記２に係る発明の保護手段を備える遊技機によれば、遊技機の全体をシート部材で覆うよう構成したから、遊技機の全体をホコリやキズから保護することができる。
【００３４】
(付記３) 請求項１または付記１,２の何れかに記載の保護手段を備える遊技機において、前記構成部品(34)は、遊技機(10)の裏側に配設されたサブ制御基板ケース(27)の背面から突出するボリューム用つまみ(34)である。
そして付記３に係る発明の保護手段を備える遊技機によれば、緩衝部材でボリューム用つまみを保護するよう構成したから、該つまみが他の部材と衝突して損傷するのを防止し得る。
【００３５】
(付記４) 請求項１記載の保護手段を備える遊技機において、遊技機(10)の裏側には、サブ制御基板(26)が収納されたサブ制御基板ケース(27)が配設され、該基板ケース(27)の背面に、遊技機(10)に設けた遊技盤に配設される図柄表示装置に関連する各種信号の送受信用のコネクタ(37)が複数突設された遊技盤用外部端子基板(35)が配設され、前記緩衝部材(39)は、遊技盤用外部端子基板(35)の構成部品としてのコネクタ(37)を保護すると共に、前記サブ制御基板(26)に配設されてサブ制御基板ケース(27)から突出するコネクタ(30)を保護する別の壁部(39a)を備えている。
そして付記４に係る発明の保護手段を備える遊技機によれば、緩衝部材により遊技盤用外部端子基板のコネクタを保護し得ると共に、該外部端子基板が配設されるサブ制御基板ケースに収納されているサブ制御基板に配設されてサブ制御基板ケースから突出するコネクタも保護することができる。すなわち、１つの緩衝部材により複数の構成部品(コネクタ)を保護することができ、該緩衝部材の配設数を低減し得る。
なお、遊技盤用外部端子基板のコネクタは、遊技店のホールコンピュータと接続されるものであって、比較的小型のタイプであるため、運送中における衝突時の衝撃により破損し易い部品であるが、緩衝部材により保護することで、該コネクタの破損を確実に防止することができる。
【図面の簡単な説明】
【００３６】
【図１】実施例に係る保護手段を備えるパチンコ機を後方から視た斜視図である。
【図２】実施例に係る保護手段を備えるパチンコ機の側面図である。
【図３】実施例に係る緩衝部材が配設されるサブ制御基板ケースを示す背面図である。
【図４】実施例に係る緩衝部材が配設されるサブ制御基板ケースを示す底面図である。
【図５】別実施例に係る緩衝部材を示す概略斜視図である。
【符号の説明】
【００３７】
１０ パチンコ機(遊技機)，２６ サブ制御基板(基板)
３４ ボリューム用つまみ(構成部品)，３７ 第３の基板側コネクタ(構成部品)
３８ 保護手段，３９ 緩衝部材，４１ａ 第１の壁部，４２ａ 第２の壁部
４４ 緩衝部材，４５ 基板，４６ 基板側コネクタ(構成部品)，４４ａ 壁部
【図１】
2005334068.tif 000003
【図２】
2005334068.tif 000004
【図３】
2005334068.tif 000005
【図４】
2005334068.tif 000006
【図５】
2005334068.tif 000007